(57)【要約】【課題】制御装置に対して不正行為を行おうとする者が個体識別情報を容易に取得することを抑制することができ、不正行為の防止を図ることができる遊技機を提供する。【解決手段】遊技制御基板３７は、識別情報記憶部７０とグランド接続部７１とを備え、識別情報記憶部７０を挟んで前面枠３とは反対側にグランド接続部７１を配置し、グランド接続部７１は、外部読取装置からの電磁波が遊技制御装置３２を挟んで前面枠３とは反対側から識別情報記憶部７０へ到達することを阻止し、前面枠３は、電磁波が前面枠３側から識別情報記憶部７０へ到達することを阻止し、前面枠３に遊技制御装置３２を取り付けると、前面枠３とグランド接続部７１との間に識別情報記憶部７０を配置して個体識別情報を読み取り不能とし、遊技制御装置３２を外すと、グランド接続部７１とは反対側を露出し、電磁波の識別情報記憶部７０への到達を許容して個体識別情報を読み取り可能とした。【選択図】図６
2008188083.tif 000002
【特許請求の範囲】
【請求項１】
前面枠と、該前面枠の後部に着脱可能な状態で配置され、制御基板に制御用電子部品を実装して構成された制御装置と、を備えた遊技機において、
前記制御基板は、制御装置の個体識別情報を記憶し、外部読取装置から電磁波を受けると個体識別情報を送信可能な識別情報記憶部と、当該制御基板を接地するためのグランド接続部と、を備え、識別情報記憶部を挟んで前面枠とは反対側にグランド接続部を配置し、
該グランド接続部は、外部読取装置からの電磁波が制御装置を挟んで前面枠とは反対側から識別情報記憶部へ到達することを阻止する第１読取阻止部として機能し、
前記前面枠は、外部読取装置からの電磁波が前面枠側から識別情報記憶部へ到達することを阻止する第２読取阻止部として機能し、
前記前面枠に制御装置を取り付けた取付状態では、前面枠とグランド接続部との間に識別情報記憶部を配置して個体識別情報を読み取り不能とし、
前記前面枠から制御装置を外した取外し状態では、制御装置のうち識別情報記憶部を挟んでグランド接続部とは反対側を露出し、該露出面を介して外部読取装置からの電磁波を識別情報記憶部へ到達することを許容して個体識別情報を読み取り可能としたことを特徴とする遊技機。
【請求項２】
前記制御基板は、絶縁層の表面に導電層を積層した積層板と、絶縁材料からなる絶縁板とを積層して構成され、
前記積層板上に識別情報記憶部を配置し、絶縁板のうち識別情報記憶部に対向する箇所には、識別情報記憶部を収容可能な収容開口を開設したことを特徴とする請求項１に記載の遊技機。
【発明の詳細な説明】
【技術分野】
【０００１】
本発明は、制御基板に制御用電子部品を実装して構成された制御装置を備えたパチンコ遊技機等の遊技機に関する。
【背景技術】
【０００２】
従来の遊技機、例えばパチンコ遊技機においては、当該パチンコ遊技機を制御するための制御装置、具体的には遊技の進行を制御する遊技制御装置や、遊技の進行に伴う演出を制御する演出制御装置などを備えている。なお、制御装置は、制御基板にＣＰＵ等の制御用電子部品を実装して構成されている。
【０００３】
そして、近年では、制御装置、詳しくは遊技制御装置を不正に交換して、遊技における大当たり状態を発生させようとする不正行為が行われてしまうことがある。そこで、遊技制御装置の制御基板に個体識別情報（ＩＤコード）を記憶した識別情報記憶部（所謂ＩＣタグ）を内蔵し、外部読取装置（ＩＤ識別装置）により識別情報記憶部内の個体識別情報を読み取って、制御装置の不正交換がなされたか否かを確認できるようにすることが提案されている（例えば、特許文献１参照）。
【特許文献１】特開平１１−０９９２７０号公報
【発明の開示】
【発明が解決しようとする課題】
【０００４】
ところで、上記特許文献に記載のものでは、不正行為者が外部読取装置を不正に入手した場合には、この外部読取装置を悪用してパチンコ遊技機に取り付けられている遊技制御装置（制御装置）の個体識別情報、言い換えると正規の個体識別情報を取得する虞がある。さらには、不正行為者が作成した不正な制御装置に正規の個体識別情報が記憶されると、不正な制御装置であっても、外部読取装置では正規品であると読み取ってしまい、制御装置の不正交換を発見することができない。
【０００５】
そこで、本発明は、上記の事情に鑑みてなされたものであり、その目的は、制御装置に対して不正行為を行おうとする者が個体識別情報を容易に取得することを抑制することができ、不正行為の防止を図ることができる遊技機を提供しようとするものである。
【課題を解決するための手段】
【０００６】
本発明は、上記目的を達成するために提案されたものであり、請求項１に記載のものは、前面枠と、該前面枠の後部に着脱可能な状態で配置され、制御基板に制御用電子部品を実装して構成された制御装置と、を備えた遊技機において、
前記制御基板は、制御装置の個体識別情報を記憶し、外部読取装置から電磁波を受けると個体識別情報を送信可能な識別情報記憶部と、当該制御基板を接地するためのグランド接続部と、を備え、識別情報記憶部を挟んで前面枠とは反対側にグランド接続部を配置し、
該グランド接続部は、外部読取装置からの電磁波が制御装置を挟んで前面枠とは反対側から識別情報記憶部へ到達することを阻止する第１読取阻止部として機能し、
前記前面枠は、外部読取装置からの電磁波が前面枠側から識別情報記憶部へ到達することを阻止する第２読取阻止部として機能し、
前記前面枠に制御装置を取り付けた取付状態では、前面枠とグランド接続部との間に識別情報記憶部を配置して個体識別情報を読み取り不能とし、
前記前面枠から制御装置を外した取外し状態では、制御装置のうち識別情報記憶部を挟んでグランド接続部とは反対側を露出し、該露出面を介して外部読取装置からの電磁波を識別情報記憶部へ到達することを許容して個体識別情報を読み取り可能としたことを特徴とする遊技機である。
【０００７】
請求項２に記載のものは、前記制御基板は、絶縁層の表面に導電層を積層した積層板と、絶縁材料からなる絶縁板とを積層して構成され、
前記積層板上に識別情報記憶部を配置し、絶縁板のうち識別情報記憶部に対向する箇所には、識別情報記憶部を収容可能な収容開口を開設したことを特徴とする請求項１に記載の遊技機である。
【発明の効果】
【０００８】
本発明によれば、以下のような優れた効果を奏する。
請求項１に記載の発明によれば、前面枠と、該前面枠の後部に着脱可能な状態で配置され、制御基板に制御用電子部品を実装して構成された制御装置と、を備えた遊技機において、制御基板は、制御装置の個体識別情報を記憶し、外部読取装置から電磁波を受けると個体識別情報を送信可能な識別情報記憶部と、当該制御基板を接地するためのグランド接続部とを備え、識別情報記憶部を挟んで前面枠とは反対側にグランド接続部を配置し、該グランド接続部は、外部読取装置からの電磁波が制御装置を挟んで前面枠とは反対側から識別情報記憶部へ到達することを阻止する第１読取阻止部として機能し、前面枠は、外部読取装置からの電磁波が前面枠側から識別情報記憶部へ到達することを阻止する第２読取阻止部として機能し、前面枠に制御装置を取り付けた取付状態では、前面枠とグランド接続部との間に識別情報記憶部を配置して個体識別情報を読み取り不能とし、前面枠から制御装置を外した取外し状態では、制御装置のうち識別情報記憶部を挟んでグランド接続部とは反対側を露出し、該露出面を介して外部読取装置からの電磁波を識別情報記憶部へ到達することを許容して個体識別情報を読み取り可能としたので、制御装置を前面枠から取り外さなければ個体識別情報を読み取れないように構成することができる。したがって、外部読取装置を用いたとしても、制御装置に対して不正行為を行おうとする者が個体識別情報を容易に取得することを抑制することができ、不正行為の防止を図ることができる。
【０００９】
請求項２に記載の発明によれば、制御基板は、絶縁層の表面に導電層を積層した積層板と、絶縁材料からなる絶縁板とを積層して構成され、積層板上に識別情報記憶部を配置し、絶縁板のうち識別情報記憶部に対向する箇所には、識別情報記憶部を収容可能な収容開口を開設したので、遊技制御基板の製造過程において識別情報記憶部が絶縁板に押圧されて破損する不具合を防ぐことができる。
【発明を実施するための最良の形態】
【００１０】
以下、代表的な遊技機であるパチンコ遊技機を例に挙げて本発明の実施の最良の形態を図面に基づき説明する。図１はパチンコ遊技機の正面図、図２は背面図である。なお、以下の説明においては、便宜上、特記しない限りパチンコ遊技機の遊技者側を「前」として前後方向を示し、遊技者側から見て左右方向を示す。
【００１１】
パチンコ遊技機１は、図１および図２に示すように、外枠（機枠あるいは本体枠）２に前面枠（内枠）３を開閉可能に軸着し、この前面枠３のベースとなる前面枠本体４に遊技盤５を収納可能とし、前面枠３の前面側には、一側（図１中、左側）が軸着された透明部材保持枠９を開閉可能に設け、該透明部材保持枠９に透視可能な透明部材１０を収納している。そして、透明部材保持枠９を閉じると、遊技盤５が透明部材保持枠９により覆われ、遊技盤５の前面に区画形成された遊技領域（図示せず）が透明部材１０を通して前方から視認できるように構成されている。さらに、透明部材保持枠９の下方には、一側（図１中、左側）が軸着された上皿ユニット１１を開閉可能に設け、該上皿ユニット１１の下方には、下皿ユニット１２を上皿ユニット１１とは左右方向にずれた位置に配置している。また、下皿ユニット１２の左側に灰皿１４を備え、下皿ユニット１２の右側に発射操作ユニット（発射操作ハンドル）１５を備えている。そして、上皿ユニット１１と下皿ユニット１２との間には、遊技状態に応じて音を発生するスピーカー１６を配置している。
【００１２】
また、前面枠本体４の裏面側には裏機構盤１８を形成し、該裏機構盤１８に略矩形状の開口窓部１９を開設し、前面枠本体４に遊技盤５を前方から交換可能な状態で取り付けるとともに、遊技盤５の後部（裏面側部）を開口窓部１９から後方へ臨ませている。さらに、裏機構盤１８には一連の裏機構部品を設けている。具体的に説明すると、裏機構盤１８の上部には球排出機構２０を取り付け、下部には排出制御装置２１、電源装置２２、中継基板２３等をそれぞれ取り付けている。球排出機構２０は、上流側から順に、球導出シュートを下部に備えた球タンク２４、球タンク２４の球導出シュートから遊技球を案内する案内流路２５、案内流路２５の下端に接続された球排出装置２６、球排出装置２６から流下した遊技球を上皿ユニット１１へ送る球流下路２７等を並べて構成されており、排出制御装置２１からの制御信号に基づいて遊技球の排出を実行するように構成されている。
【００１３】
そして、遊技盤５の裏面のうち、裏機構盤１８の開口窓部１９から臨む部分に、略矩形状の大きなカバーを備えたベース部材２９と横長な制御装置装着部３０とを上下に並べた状態で配置し、上側のベース部材２９の内部に演出制御装置（図示せず）を装着し、下側の制御装置装着部３０の裏面側には遊技制御装置３２（本発明における制御装置に相当）を着脱可能な状態で装着している。
【００１４】
次に、遊技制御装置３２について説明する。
遊技制御装置３２は、縦向き姿勢で配置された比較的浅い或いは薄い箱状のユニットであり、図３に示すように、透光性を有して内部を透視可能な樹脂製（例えば無色透明な樹脂製）の基板ケース３６と、該基板ケース３６内に収容された矩形状の遊技制御基板３７（本発明における制御基板に相当）と、該遊技制御基板３７の裏面（言い換えると遊技制御基板３７を挟んで前面枠３とは反対側の面）に実装されたＣＰＵ等の制御用電子部品３８とを備えて構成されている。
【００１５】
基板ケース３６は、制御装置装着部３０に装着された状態で当該基板ケース３６の前側に配置される第１ケース部材４１と、当該基板ケース３６の後側に配置され、第１ケース部材４１に重合する第２ケース部材４２とを備えて構成されている。また、基板ケース３６の上下両縁部には、第１ケース部材４１と第２ケース部材４２とを重合した状態で係止する係止機構４４を備え、基板ケース３６の一側部（図３中、右側部）には、基板ケース３６を封止するケース封止機構４５を備えている。
【００１６】
遊技制御基板３７は、ガラスエポキシ樹脂等の絶縁材料からなる複数の絶縁層５０（第１絶縁層５０ａ、第２絶縁層５０ｂ、絶縁板５０ｃ）と、銅箔等の導電材料からなり、絶縁層５０上に配置されて電気回路配線を構成する複数の導電層５２（第１導電層５２ａ、第２導電層５２ｂ、第３導電層５２ｃ）とを積層して構成された多層基板である。具体的に説明すると、図４および図５（ａ）に示すように、第１絶縁層５０ａの前面（前面枠３側に向けられた面）に第１導電層５２ａを配置するとともに、後面（第１絶縁層５０ａを挟んで前面枠３とは反対の面）に第２導電層５２ｂを配置して第１積層板５４を形成し、第２絶縁層５０ｂの前面（前面枠３側に向けられた面）に第３導電層５２ｃを配置して第２積層板５５（本発明における積層板に相当）を形成している。さらに、絶縁板５０ｃの前面（前面枠３側に向けられた面）に第１積層板５４を第２導電層５２ｂと絶縁板５０ｃの前面とが重合する状態で積層し、絶縁板５０ｃの後面（絶縁板５０ｃを挟んで前面枠３とは反対の面）に第２積層板５５を第３導電層５２ｃと絶縁板５０ｃの後面とが重合する状態で積層している。なお、図５（ａ）においては、記号「Ｆ」により遊技制御基板３７の前方となる前面枠３側を示し、記号「Ｒ」により遊技制御基板３７の後方となる側、すなわち絶縁板５０ｃを挟んで前面枠３とは反対側を示している。
【００１７】
さらに、絶縁層５０を構成するガラスエポキシ樹脂は、絶縁材料であるとともに、電磁波を透過する機能を備えている。また、本実施形態では、第１積層板５４と絶縁板５０ｃとの間、および第２積層板５５と絶縁板５０ｃとの間に透明な接着層（図示せず）を介在し、該接着層を介して第１積層板５４、第２積層板５５および絶縁板５０ｃを重合している。
【００１８】
そして、遊技制御基板３７は、当該遊技制御基板３７の内部に埋設され、遊技制御装置３２の個体識別情報（例えばシリアルナンバー）を記憶した識別情報記憶部（所謂無線ＩＣタグ）７０と、当該遊技制御基板３７を接地するためのグランド接続部７１とを備え、該グランド接続部７１と電気回路配線を構成する３層の導電層５２とを備えた多層基板（４層基板）に設定されている。具体的に説明すると、遊技制御基板３７の第２積層板５５上、詳しくは第２積層板５５の第２絶縁層５０ｂの前面（前面枠３側に向けられ、第３導電層５２ｃを重合する面）に識別情報記憶部７０を配置（貼付）し、第３導電層５２ｃのうち識別情報記憶部７０に対向する箇所に第３導電開口部７３を開設し、第３導電開口部７３を介して識別情報記憶部７０の一部を突出している。さらに、絶縁板５０ｃのうち第３導電開口部７３を介して識別情報記憶部７０に対向する箇所には矩形状の収容開口７４を開設し、該収容開口７４に識別情報記憶部７０を収容できるように構成されている。また、第２導電層５２ｂのうち識別情報記憶部７０に対向する箇所には第２導電開口部７６を開設し、第１導電層５２ａのうち識別情報記憶部７０に対向する箇所には第１導電開口部７７を開設している。この結果、識別情報記憶部７０の前面（前面枠３側の面）を絶縁層５０（詳しくは第１絶縁層５０ａ）のみで覆い、識別情報記憶部７０の前方（前面枠３側）に重なる位置に導電性部材、言い換えると電磁波が透過不能な部材を配置することを避けている。
【００１９】
なお、識別情報記憶部７０は、図５（ｂ）および図６に示すように、当該識別情報記憶部７０のベースとなる矩形状のベースフィルム８０を備え、該ベースフィルム８０の中央に導電層５２よりも厚いＩＣチップ８１を配置するとともに、該ＩＣチップ８１の周辺には円形状に巻回したアンテナ８２を配置し、アンテナ８２とＩＣチップ８１とを電気的に接続して構成されている。そして、読み取り動作時に外部読取装置（図示せず）から発生した電磁波を受けると、この電磁波の受信に基づいてＩＣチップ８１に記憶された情報を、アンテナ８２を介して外部読取装置へ向けて送信できるように構成されている。
【００２０】
また、グランド接続部７１は、遊技制御基板３７を接地して、パチンコ遊技機１内（例えば、役物を駆動するためのモータやソレノイド）から発生する静電気や電磁波等のノイズが制御用電子部品３８へ到達することを遮断する導電性部材である。そして、遊技制御基板３７と略同じ大きさの矩形状に形成され、遊技制御基板３７のうち制御用電子部品３８の実装面となる裏面（具体的には第２絶縁層５０ｂのうち前面枠３とは反対側の面）と、制御用電子部品３８との間に配置されている。さらに、識別情報記憶部７０の後方、すなわち識別情報記憶部７０を挟んで前面枠３とは反対側に、識別情報記憶部７０を十分に覆う状態で配置されている。
【００２１】
このような構成の遊技制御基板３７を備えた遊技制御装置３２を前面枠３、詳しくは前面枠３に装着された遊技盤５の制御装置装着部３０に取り付けると、識別情報記憶部７０の前方（前面枠３側）には基板ケース３６の第１ケース部材４１および前面枠３が配置され、後方（遊技制御装置３２を挟んで前面枠３とは反対側）にはグランド接続部７１および基板ケース３６の第２ケース部材４２が配置される。したがって、識別情報記憶部７０は、前面枠３とグランド接続部７１との間に配置される（図６参照）。
【００２２】
そして、グランド接続部７１は、電磁波を通さない導電性材料で形成されているため、外部読取装置を遊技制御装置３２の後部に当接したとしても、当該グランド接続部７１よりも後方の外部読取装置から発生した電磁波を前方へ透過しない。したがって、グランド接続部７１は、外部読取装置からの電磁波が遊技制御装置３２を挟んで前面枠３とは反対側から識別情報記憶部７０へ到達することを阻止する第１読取阻止部として機能する。また、前面枠３は、遊技盤５、前面枠本体４、透明部材保持枠９等を前後に重ねて厚肉な構成をなしているので、外部読取装置をパチンコ遊技機１の前面に当接してパチンコ遊技機１の前方から最も近づけた状態で配置したとしても、外部読取装置から発生した電磁波が減衰して識別情報記憶部７０まで到達しない。さらには、電磁波が届くまで外部読取装置をパチンコ遊技機１（前面枠３）の前方から識別情報記憶部７０へ近づけることを阻止する。したがって、前面枠３は、外部読取装置からの電磁波が前方の前面枠３側から識別情報記憶部７０へ到達することを阻止する第２読取阻止部として機能する。この結果、前面枠３に遊技制御装置３２を取り付けた取付状態では、外部読取装置を利用したとしても識別情報記憶部７０から個体識別情報を読み取ることが不能となる。
【００２３】
一方、制御装置装着部３０から遊技制御装置３２を外すと、遊技制御装置３２は、図７に示すように、その前面側、言い換えると識別情報記憶部７０を挟んでグランド接続部７１とは反対側を前面枠（第２読取阻止部）３から離して露出する。そして、この露出面に対向する位置に外部読取装置を配置して電磁波を発生させると、この電磁波は、遊技制御装置３２の露出面（具体的には第１ケース部材４１）を介して第１導電開口部７７、第１絶縁層５０ａ、第２導電開口部７６を通過し、識別情報記憶部７０に到達することを許容される。この結果、前面枠３から遊技制御装置３２を外した取外し状態では、識別情報記憶部７０から個体識別情報を読み取ることが可能となる。したがって、遊技制御装置３２を前面枠３から取り外さなければ個体識別情報を読み取れないように構成することができる。これにより、外部読取装置を用いたとしても、遊技制御装置３２に対して不正行為を行おうとする者が個体識別情報を容易に取得することを抑制することができ、不正行為の防止を図ることができる。なお、個体識別情報の読み取り作業の際には、基板ケース３６から遊技制御基板３２を取り出し、取り出した遊技制御基板３２のうち識別情報記憶部７０を挟んでグランド接続部７１とは反対側に外部読取装置を配置して読み取り作業を行ってもよい。
【００２４】
また、第２積層板５５上に識別情報記憶部７０を配置し、絶縁板５０ｃのうち識別情報記憶部７０に対向する箇所に、識別情報記憶部７０を収容可能な収容開口７４を開設しているので、遊技制御基板３７の製造過程において識別情報記憶部７０が絶縁板５０ｃに押圧されて破損する不具合を防ぐことができる。
【００２５】
ところで、上記実施形態では、遊技制御基板３７の内部に識別情報記憶部７０を埋め込んで備えたが、本発明はこれに限定されない。要は、前面枠３に遊技制御装置３２を取り付けた取付状態で前面枠３とグランド接続部７１との間に識別情報記憶部７０を配置し、前面枠３とグランド接続部７１とで外部読取装置からの電磁波が識別情報記憶部７０へ到達することを阻止し、前面枠３から遊技制御装置３２を取り外した取外し状態では、遊技制御装置３２のうち識別情報記憶部７０を挟んでグランド接続部７１とは反対側の面を露出して、該露出側から外部読取装置からの電磁波を識別情報記憶部７０へ到達することを許容するように構成すればよい。例えば、図８に示すように、グランド接続部７１よりも前面枠３寄りに配置される第１積層板５４のうち、前面枠３側を向いた面（第１導電層５２ａ）に識別情報記憶部７０を配置（貼付）してもよい。このように識別情報記憶部７０を遊技制御基板３７の表面に配置すれば、遊技制御基板３７の製造工程の途中で識別情報記憶部７０を遊技制御基板３７の内部に埋設する必要がなく、遊技制御基板３７を製造する工程と、遊技制御基板３７に識別情報記憶部７０を配置する工程とを分離することができる。したがって、個体識別情報を読み取り可能な遊技制御基板３７の製造効率の向上を図ることができる。
【００２６】
なお、上記実施形態では、グランド接続部７１を遊技制御基板３７と同じ大きさに設定したが、本発明はこれに限定されない。要は、グランド接続部７１により外部読取装置からの電磁波を識別情報記憶部７０へ到達することを阻止できればよく、例えば、読取阻止部として機能するグランド接続部７１を識別情報記憶部７０と略同じ大きさに設定し、このグランド接続部７１の周辺に電気回路配線を設けてもよい。
【００２７】
さらに、上記各実施形態では、遊技制御装置３２を構成する遊技制御基板３７に識別情報記憶部７０を設けたが、本発明はこれに限定されず、パチンコ遊技機１等の遊技機に備えられた制御装置の制御基板であれば、どのような基板に識別情報記憶部７０を設けてもよい。例えば、遊技演出の制御を行う演出制御装置の制御基板（演出制御基板）であってもよい。
【００２８】
そして、上記実施形態では、代表的な遊技機であるパチンコ遊技機を例にして説明したが、本発明はこれに限らず、前面枠と、該前面枠の後部に着脱可能な状態で配置され、制御基板に制御用電子部品を実装して構成された制御装置とを備えた遊技機であればどのような遊技機でもよい。例えば、内部に封入した遊技球を循環させる封入球式パチンコ機、アレンジボール式遊技機、雀球式遊技機等の遊技機であってもよい。
【００２９】
前記した実施の形態は全ての点で例示であって制限的なものではないと考えられるべきである。本発明は、上記した説明に限らず特許請求の範囲によって示され、特許請求の範囲と均等の意味及び範囲内での全ての変更が含まれるものである。
【図面の簡単な説明】
【００３０】
【図１】パチンコ遊技機の正面図である。
【図２】パチンコ遊技機の背面図である。
【図３】遊技制御装置の後方から見た分解斜視図である。
【図４】遊技制御基板を後方から見て絶縁板、第１積層板、第２積層板に分解した分解斜視図である。
【図５】（ａ）は遊技制御基板の後方から見た分解斜視図、（ｂ）は前方から見て識別情報記憶部と第２積層板とを分解した分解斜視図である。
【図６】前面枠に遊技制御装置を取り付けた状態を説明する拡大断面図である。
【図７】前面枠から遊技制御装置を取り外した状態を説明する拡大断面図である。
【図８】第２実施形態の遊技制御基板を後方から見て絶縁板、第１積層板、第２積層板、識別情報記憶部に分解した分解斜視図である。
【符号の説明】
【００３１】
１  パチンコ遊技機
３  前面枠
５  遊技盤
３０  制御装置装着部
３２  遊技制御装置
３６  基板ケース
３７  遊技制御基板
３８  制御用電子部品
４１  第１ケース部材
４２  第２ケース部材
４４  係止機構
４５  ケース封止機構
５０  絶縁層
５０ａ  第１絶縁層
５０ｂ  第２絶縁層
５０ｃ  絶縁板
５２  導電層
５２ａ  第１導電層
５２ｂ  第２導電層
５２ｃ  第３導電層
５４  第１積層板
５５  第２積層板
７０  識別情報記憶部
７１  グランド接続部
７３  第３導電開口部
７４  収容開口
７６  第２導電開口部
７７  第１導電開口部
８０  ベースフィルム
８１  ＩＣチップ
８２  アンテナ
【図１】
2008188083.tif 000003
【図２】
2008188083.tif 000004
【図３】
2008188083.tif 000005
【図４】
2008188083.tif 000006
【図５】
2008188083.tif 000007
【図６】
2008188083.tif 000008
【図７】
2008188083.tif 000009
【図８】
2008188083.tif 000010